(57)【要約】【課題】多数の旗竿を同時に支持して多数の旗を同時に掲揚できるマルチ旗立て装置の提供。【解決手段】マルチ旗立て装置は、旗竿の下端部を把持して固定自在な支持部としてのパイプ１４，２４を多数併設し、支持部１４，２４間を一体的に連結する。より詳細には、マルチ旗立て装置は、地面に水平に配置自在な基部を構成する基板１１，２１と、基部に多数併設して一体的に固定されたパイプ状の支持部１４，２４とを備える。ここで、基部は、例えば、右本体１０の基板１１及び左本体２０の基板２１として、２以上に分割自在であり、基部を分割することにより、多数の支持部１４，２４を基部１１，２１の分割数に応じた数（例えば２分割で４本、４本）に分割することができる。【選択図】　図１
2004133221.tif 000002
【特許請求の範囲】
【請求項１】
旗竿の下端部を把持して固定自在な支持部を多数併設し、前記支持部間を一体的に連結したことを特徴とするマルチ旗立て装置。
【請求項２】
地面に水平に配置自在な基部と、
前記基部に多数併設して一体的に固定されたパイプ状の支持部と
を備えることを特徴とするマルチ旗立て装置。
【請求項３】
前記基部は、２以上に分割自在であり、前記基部を分割することにより、前記多数の支持部を前記基部の分割数に応じた数に分割することを特徴とする請求項２記載のマルチ旗立て装置。
【請求項４】
更に、前記基部を地面に沿って滑動自在とする滑動手段と、前記滑動手段による滑動を停止する滑動停止手段と、前記基部を地面に牽引固定する牽引固定手段とを備えることを特徴とする請求項２または３記載のマルチ旗立て装置。
【発明の詳細な説明】
【０００１】
【発明の属する技術分野】
本発明は、多数本の旗竿を同時に支持して多数の旗を掲揚するために使用するマルチ旗立て装置に関する。
【０００２】
【従来の技術】
例えば、楽隊や楽団等の演奏チームは、野外等での演奏時に、楽隊旗や楽団旗等のチーム旗を掲揚して演奏することがある。この場合、チーム旗を掲揚するために、旗竿を支持して地面に固定する装置（旗立て装置）が必要である。通常、一つの楽隊が多数の異なる旗を使用するため、多数のチーム旗を同時に掲揚するためには、多数の旗立て装置が必要となる。なお、特許庁電子図書館の公報検索を利用して、かかる目的の旗立て装置を簡易に検索したが、関連の先行技術文献は発見されなかった。よって、本願に関して記載する先行技術文献情報はない。
【０００３】
【発明が解決しようとする課題】
ここで、旗立て装置として、チーム旗を１つずつ掲揚するものを作成することも考えられるが、この場合、多数の旗立て装置を作成して用意することが必要となり、その持ち運びや整理、格納が面倒で、かつ、コストも高くなるという問題がある。
【０００４】
そこで、本発明は、多数の旗竿を同時に支持して多数の旗を同時に掲揚できるマルチ旗立て装置の提供を課題とする。
【０００５】
【課題を解決するための手段】
請求項１に係るマルチ旗立て装置は、旗竿の下端部を把持して固定自在な支持部を多数併設し、前記支持部間を一体的に連結した。
【０００６】
請求項２に係るマルチ旗立て装置は、地面に水平に配置自在な基部と、前記基部に多数併設して一体的に固定されたパイプ状の支持部とを備える。
【０００７】
請求項３に係るマルチ旗立て装置は、請求項２の構成において、前記基部が、２以上に分割自在であり、前記基部を分割することにより、前記多数の支持部を前記基部の分割数に応じた数に分割する。
【０００８】
請求項４に係るマルチ旗立て装置は、請求項２または３の構成において、更に、前記基部を地面に沿って滑動自在とする滑動手段と、前記滑動手段による滑動を停止する滑動停止手段と、前記基部を地面に牽引固定する牽引固定手段とを備える。
【０００９】
【発明の実施の形態】
以下、本発明の実施の形態を説明する。なお、各実施の形態を通じ、同一の部材、要素または部分には同一の符号を付して、その説明を省略する。
【００１０】
実施の形態１
図１に示すように、実施の形態１に係るマルチ旗立て装置は、対をなす右本体１０及び左本体２０と、対をなす右脚部３０及び左脚部４０とを備えている。図２〜図９に示すように、右本体１０は、ステンレス鋼板等からなる左右に延びる長方形平板状の基板１１を有している。基板１１の一端（図２，５，８中の右端）より若干内側の位置には、前後一対の挿通孔１１ａが貫通形成されている。基板１１の前端縁及び後端縁には、それぞれ、小径の金属パイプ等からなる前筒状部１２及び後筒状部１３が、溶接等により一体的に固着されている。前筒状部１２及び後筒状部１３の内部は軸方向に延びる中空空間となっている。前筒状部１２の左端側には、金属製等の連結ロッド１２ａの一部が挿入されて溶接やかしめ等により固着され、連結ロッド１２ａの残りの部分が前筒状部１２から左方に突出している。基板１１の上面には複数本（図の例では４本）のパイプ１４が溶接等により立設して固定されている。具体的には、これらのパイプ１４は、最も内側（左側）のパイプ１４から外側（右側）のパイプ１４へと所定角度間隔で略半扇形となるよう並設されている。４本のパイプ１４は、ほぼ同様の長さであるが、正確には、最も内側のパイプ１４の長さが最も長く、中央の２本のパイプ１４の長さをそれより若干短く、さらに、最も外側のパイプ１４の長さをさらに若干短くなっている。これにより、全体がきれいな半扇形となるようにしている。パイプ１４間の上端部には、それぞれ、金属等からなる板状の補強片１５が溶接等により介装固定され、パイプ１４間を連結してそれらの強度を補強している。最も外側のパイプ１４の外周面の右端位置には、金属等からなる板状の接続片１６が溶接等により固定されている。接続片１６には孔１６ａが貫通形成され、孔１６ａには留め具１７が装着されている。留め具１７は、先端に環状部を有している。留め具１７の環状部は、例えば、キーホルダやキーリングやクイッククリップ等のように開閉自在な機構となっており、環状部にアンカー付ロープ等の紐状素材の一端を容易に装着できるようになっている。最も内側のパイプ１４の外周面の左端位置には、金属等からなる連結片１８が溶接等により固定されている。連結片１８は、補強片１４の約半分の長さの四角筒状をなし、その幅方向一端（上端側の半分）には円柱または四角柱ロッド状の雄部１８ａが固着されて左方に突出している。また、連結片１８の幅方向他端（下端側の半分）は単なる空間とされて雌部１８ｂとなっている。前記３個の補強片１５、支持片１６及び連結片１８は、全て同一幅であり、全体として略円弧状となるよう配置される。
【００１１】
一方、左本体２０は、基本的には前記右本体１０を左右対称にした構造である。詳細には、左本体２０は、基板１１と同様の基板２１を有している。基板２１の一端（図２，６，９中の左端）より若干内側の位置には、前後一対の挿通孔２１ａが貫通形成されている。基板２１の前端縁及び後端縁には、それぞれ、前筒状部１２及び後筒状部１３と同様の前筒状部２２及び後筒状部２３が、同様にして一体的に固着されている。後筒状部２３の右端側には、連結ロッド１２ａと同様の連結ロッド２３ａが、同様にして固着され、後筒状部２３から右方に突出している。基板２１の上面には、４本のパイプ１４と同様の４本のパイプ２４が、パイプ１４と左右対称となるよう、溶接等により立設して固定されている。パイプ２４間の上端部間は、それぞれ、補強片１５と同様の補強片２５により、同様にして連結して強度を補強している。最も外側のパイプ２４の外周面の左端位置には、接続片１６と同様の接続片２６が、同様にして固定され、接続片２６の孔２６ａには留め具１７と同様の留め具２７が装着されている。最も内側のパイプ２４の外周面の右端位置には、連結片１８の場合と同様の連結片２８が、同様にして固定されている。連結片２８の上端側の半分は単なる空間とされ、雌部２８ａとなっている。また、連結片２８の下端側の半分には雄部１８ａと同様の雄部２８ｂが同様に固着されて右方に突出している。前記右本体１０の雄部１８ａは左本体２０の雌部２８ａに、左本体２０の雄部２８ｂは右本体１０の雌部１８ｂに、それぞれ挿入自在であり、それらの挿入状態で、連結片１８と連結片２８とが一体的に連結される。前記３個の補強片２５、支持片２６及び連結片２８も、全て同一幅であり、全体として略円弧状となるよう配置される。左本体２０の基板２１の底面には、更に、収容箱２９が固着されている。収容箱２９は、上端を開口した長方形箱状をなし、その左半分を基板２１に固着すると共に、右半分を基板２１から露出し、右半分の開口を解して、内部にネジ等の部品等を収容自在となっている。
【００１２】
右脚部３０は、ステンレス鋼板等からなる前後に延びる長方形平板状の基板３１を有している。基板３１は、例えば、右本体１０の基板１１の長さより若干長い長さとされる。基板３１の前後及び左右の中央部には、前後一対の挿通孔３１ａが貫通形成されている。挿通孔３１ａは、前記右本体１０の基板１１の前後一対の挿通孔１１ａに整合する。基板３１の右端縁及び左端縁には、それぞれ、小径の金属パイプ等からなる右筒状部３２及び左筒状部３３が、溶接等により一体的に固着されている。右筒状部３２及び左筒状部３３の内部は軸方向に延びる中空空間となっている。基板３１の下面の前端部及び後端部には、それぞれ、キャスター３４がボルト等により固着されている。なお、前後一対のキャスター３４のうち少なくとも一方は、回転固定（滑動停止）機構付のキャスターとすることが好ましい。上記構成の右脚部３０は、前記右本体１０の基板１１の下面に基板３１を配置し、基板３１の挿通孔３１ａを基板１１の挿通孔１１ａに整合させて、それらをボルト５１及び蝶ネジ５２により締結固定することにより、右本体１０に対して着脱自在に一体化することができる。このとき、右脚部３０の基板３１は、その右端が右本体１０の基板１１の右端と略同一位置に位置し、基板３１が基板１１に直交した状態となると共に、基板１１から同一長さ前後に突出する。
【００１３】
左脚部４０は、右脚部３０と同一の構成であるが、左本体２０に装着されるものであることを特定するために、便宜上、右脚部３０の各要素の部材番号を４０番代に置き換えて表示している。即ち、基板４１は基板３１と、挿通孔４１ａは挿通孔３１ａと、左筒状部４２は、左筒状部３２と、右筒状部４３は右筒状部３３と、キャスター４４はＫャスター３４と同一構成である。上記構成の左脚部４０は、前記左本体２０の基板２１の下面に基板４１を配置し、基板４１の挿通孔４１ａを基板２１の挿通孔２１ａに整合させて、それらをボルト５１及び蝶ネジ５２により締結固定することにより、左本体２０に対して着脱自在に一体化することができる。このとき、左脚部４０の基板４１は、その右端が左本体２０の基板２１の左端と略同一位置に位置し、基板４１が基板２１に直交した状態となると共に、基板２１から同一長さ前後に突出する。
【００１４】
図４に示すように、右脚部３０及び左脚部４０の前端には、それぞれ、前拡張板６０が着脱自在に装着される。前拡張板６０は、ステンレス鋼板等からなる前後に延びる長方形平板状の基板６１を有している。基板６１は、例えば、右脚部３０または左足部４０の約半分の長さとされる。基板６１の右端縁及び左端縁には、それぞれ、小径の金属パイプ等からなる右筒状部６２及び左筒状部６３が、溶接等により一体的に固着されている。右筒状部６２及び左筒状部６３の内部は軸方向に延びる中空空間となっている。右筒状部６２及び左筒状部６３の後端側には、それぞれ、金属製等の連結ロッド６４の一部が挿入されて溶接やかしめ等により固着され、連結ロッド６４の残りの部分が、右筒状部６２及び左筒状部６３の後端側から、それぞれ、後方に突出している。一方、右筒状部６２及び左筒状部６３の前端側には、それぞれ、金属製等のアンカーロッド６５の一部（後端側直線部）が挿入されて溶接やかしめ等により固着され、アンカーロッド６５の残りの部分（前端側屈曲部）が、右筒状部６２及び左筒状部６３の前端側から、それぞれ、前方に突出している。アンカーロッド６５の屈曲部分は、それぞれ、右筒状部６２及び左筒状部６３の前端付近から略直交して下方へと屈曲している。アンカーロッド６５の屈曲部分の長さは、右脚部３０及び左脚部４０のキャスター３４，４４の高さより若干長い長さとされている。なお、アンカーロッド６５の屈曲部分の先端は、地面に打ち込みやすいよう先鋭化することが好ましい。上記構成の左右一対の前拡張板６０は、それらの連結ロッド６４を、それぞれ、前記右脚部３０及び左脚部４０の右筒状部６２及び左筒状部６３の前端側に完全に挿入することにより、右脚部３０及び左脚部４０の前端側に対して着脱自在に一体化することができる。このとき、前拡張板６０の基板６１は右脚部３０及び左脚部４０の基板３１，４１と面一となる。
【００１５】
一方、右脚部３０及び左脚部４０の後端には、それぞれ、後拡張板７０が着脱自在に装着される。後拡張板７０は、前拡張版６０と同一の構成であるが、右脚部３０及び左脚部４０の後端に装着されるものであることを特定するために、便宜上、前拡張版６０の各要素の部材番号を７０番代に置き換えて表示している。即ち、基板７１は基板６１と、右筒状部７２は右筒状部６２と、左筒状部７３は左筒状部６３と、連結ロッド７４は連結ロッド６４と、アンカーロッド７５はアンカーロッド６５と同一構成である。上記構成の左右一対の後拡張板７０は、それらの連結ロッド７４を、それぞれ、前記右脚部３０及び左脚部４０の右筒状部６２及び左筒状部６３の後端側に完全に挿入することにより、右脚部３０及び左脚部４０の後端側に対して着脱自在に一体化することができる。このとき、後拡張板７０の基板７１は右脚部３０及び左脚部４０の基板３１，４１と面一となる。
【００１６】
上記のように構成した実施の形態１に係るマルチ旗立て装置は、非使用時には、右本体１０、左本体２０、右脚部３０、左脚部４０、前拡張板６０、後拡張板７０を分解した状態で収納及び持ち運びできる。その結果、収納時及び持ち運び時等にかさばらず、収納及び持ち運びを簡単に行うことができる。また、ボルト５１や蝶ネジ５２等の小さな部品は、収容箱２９に収容した状態で一体的に持ち運ぶことができ、便利である。なお、この際のボルト５１や蝶ネジ５２等の散逸を防止するため、収容箱２９の開口を着脱自在にふさぐ蓋を用意することが好ましい。
【００１７】
一方、実施の形態１に係るマルチ旗立て装置を使用するには、まず、右本体１０及び左本体２０を一体化する。即ち、右本体１０及び左本体２０を左右対称に配置した状態から、右本体１０の連結ロッド１２ａを左本体２０の前筒状部２２に、左本体２０の連結ロッド２３ａを左本体２０の後筒状部１３に、それぞれ完全に挿入する。同時に、右本体１０の雄部１８ａを左本体２０の雌部２８ａに、左本体２０の雄部２８ｂを右本体１０の雌部１８ｂに、それぞれ完全に挿入する。これにより、右本体１０と左本体２０とが、連結ロッド１２ａ及び連結ロッド２３ａと前筒状部２２及び後筒状部１３との連結による係合並びに雄部１８ａ及び雄部２８ｂと雌部２８ａ及び雌部１８ｂとの連結による係合により、強固に一体化される。このとき、収容箱２９の右半部は右本体１０の基板１１に完全に遮蔽され、全体が、一体化された右本体１０及び左本体２０の中央に位置する。
【００１８】
次に、ボルト５１及び蝶ネジ５２を使用して、右脚部３０及び左脚部４０を、それぞれ、右本体１０及び左本体２０に締結固定する。これにより、図１に示すように、一体化されて扇形となった右本体１０及び左本体２０を、右脚部３０及び左脚部４０が下方から滑動自在に支持して前後左右への移動自在とする。なお、右脚部３０及び左脚部４０は、右本体１０及び左本体２０の一体化前（分割時）に、右本体１０及び左本体２０に対して締結固定してもよい。この場合、右脚部３０及び左脚部４０のキャスター３４，４４による地面への安定支持機能により、右本体１０及び左本体２０の一体化をより簡単に行えるという効果がある。
【００１９】
次に、本実施の形態のマルチ旗立て装置の固定位置（旗の掲揚位置）で、右脚部３０及び左脚部４０の前後両端に、それぞれ、前拡張板６０及び後拡張板７０を装着する。そして、アンカーロッド６５及び７５をそれぞれ地面に食い込ませる。また、固定側のキャスター３４，４４を固定する。これにより、実施の形態１のマルチ旗立て装置を定位置に安定して固定することができる。そして、かかるマルチ旗立て装置のパイプ１４、２４の各々に、掲揚する旗の旗竿を挿入して固定することにより、多数（合計８本）の旗を同時に一つの位置にて固定することができる。このとき、掲揚される多数の旗は、扇形に展開され、独特な美しい意匠をかもし出す。更に、キャンプ用テントを固定するために使用するアンカー付ロープ等の一端を前記留め具１７，２７に固定し、更に、ロープを緊張した状態で他端のアンカーを地面に打ち込むことにより、アンカー付ロープにより、風によるマルチ旗立て装置の位置ずれ等を有効に防止することができる。このとき、アンカー付ロープは、マルチ旗立て装置の左右両端からそれぞれ２本ずつ前後逆方向に延びるよう展張したり、斜め方向（対角線方向）に延びるよう展張したりする。
【００２０】
このように、実施の形態１に係るマルチ旗立て装置は、旗竿の下端部を把持して固定自在な支持部としてのパイプ１４，２４を多数併設し、前記支持部１４，２４間を一体的に連結したものである。より詳細には、マルチ旗立て装置は、地面に水平に配置自在な基部を構成する基板１１，２１と、前記基部に多数併設して一体的に固定されたパイプ状の支持部１４，２４とを備える。ここで、前記基部は、例えば、右本体１０の基板１１及び左本体２０の基板２１として、２以上に分割自在であり、前記基部を分割することにより、前記多数の支持部１４，２４を前記基部１１，２１の分割数に応じた数（例えば２分割で４本、４本）に分割することができる。更に、マルチ旗立て装置は、前記基部を地面に沿って滑動自在とする滑動手段としてのキャスター３４，４４を有する右脚部３０及び左脚部４０と、前記滑動手段による滑動を停止する滑動停止手段（キャスター３４，４４の固定機構またはアンカーロッド６５，７５）と、前記基部を地面に牽引固定する牽引固定手段（アンカーロッド６５，７５または留め具１７，２７を牽引するアンカー付ロープ等）とを備える。したがって、上記のような特有の作用及び効果を発揮し、多数の旗竿を同時に支持して多数の旗を同時に掲揚することができる。
【００２１】
実施の形態２
図１０に示すように、実施の形態２に係るマルチ旗立て装置は、実施の形態１と比較して、右本体１０の代わりに右本体８０を、左本体２０の代わりに左本体９０を使用する。右本体８０は、基本的に右本体１０と同様の構成であるが、ほぼ同様の長さの４本のパイプ１４ではなく、１本の長いパイプ８１と、３本の同一長さの短いパイプ８２とを使用する。パイプ８２はパイプ８１の約半分の長さとする。そして、パイプ８１を基板１１の右端付近に所定角度で傾斜して固着し、前記補強片１５を介して、３本のパイプ８２を左方へと所定角度間隔で連結する。補強片１５はパイプ８１，８２間の上端側を連結する。そして、パイプ８２をパイプ８１の上半分に対応するよう配置し、それらの上端が所定の円弧を描くようにする。更に、パイプ８２間の下端側は、更に、補強片１５と同様の補強片８３により連結して補強する。加えて、最も内側のパイプ８２の上端部に前記連結片１８が固着されると共に、下端部にも連結片１８と同様の構成の連結片８４が固着される。ここで、３個の補強片８３及び連結片８４は、全て同一幅であり、全体として略円弧状となるよう配置される。
【００２２】
一方、左本体９０は、基本的には左本体２０と同様の構成であり、前記右本体８０を左右対称にした構造である。詳細には、パイプ８１と同様のパイプ９１を基板１１の右端付近に同様にして固着し、前記補強片１５を介して、パイプ８２と同様の３本のパイプ９２を、上記と同様にして、右方へと所定角度間隔で連結して配置する。また、パイプ９２間の下端側は、更に、補強片８３と同様の補強片９３により同様に連結して補強する。加えて、最も内側のパイプ９２の上端部に前記連結片２８が固着されると共に、下端部にも連結片２８と同様の構成の連結片９４が固着される。ここで、３個の補強片８３及び連結片８４は、全て同一幅であり、全体として略円弧状となるよう配置される。
【００２３】
上記右本体８０及び左本体９０は、実施の形態１と同様にして一体化され、右脚部３０及び左脚部４０とを組み付けて使用する。このように構成した実施の形態２に係るマルチ旗立て装置も、実施の形態１に係るマルチ旗立て装置と同様にして使用され、同様の作用及び効果を発揮する。また、中央のパイプ８２及び９２の下半分が完全に開放され、全体として、本物の扇のような印象を与え、独特の意匠を呈する。
【００２４】
実施の形態３
図１１及び図１２に示すように、実施の形態３に係るマルチ旗立て装置は、実施の形態１と比較して、右本体１０の代わりに右本体１００を、左本体２０の代わりに左本体１１０を使用する。右本体１００は、基本的に右本体１０と同様の構成であるが、基板１１に対し、４本のパイプ１０１を交互に前後に所定角度間隔で傾斜離間し、千鳥格子状となるように配置している。これにより、基板１１の前端側に２本のパイプ１０１（最も内側のパイプ１０１と内側から３番目のパイプ）が並設して所定角度間隔で配置されると共に、基板１１の後端側に残りの２本のパイプ１０１（内側から２番目のパイプ１０１と４番目のパイプ）が並設して所定角度間隔で配置される。そして、前側の２本のパイプ１０１と後側の２本のパイプ１０１とは、Ｖ字状となる。前側の２本のパイプ１０１の上端部間は、補強片１５の約２倍の長さの補強片１０２により連結補強されている。また、前側の２本のパイプ１０１のうちの右側のパイプ１０１の外周面右端には、接続片１６の約２倍の長さの接続片１０３が溶接等により固定されている。一方、前側の２本のパイプ１０１のうちの左側のパイプ１０１の外周面左端には、連結片１８の２倍の長さの連結片１０４が溶接等により固定されている。連結片１０４は連結片１８と同様の構成である。同様に、後側の２本のパイプ１０１の上端部間は、補強片１０２により連結補強されている。また、後側の２本のパイプ１０１のうちの左側のパイプ１０１の外周面左端には、前記連結片１０４が溶接等により固定されている。
【００２５】
一方、左本体１１０は、基本的には前記右本体１００を左右対称にした構造である。詳細には、左本体１１０は、基本的に右本体２０と同様の構成であるが、右本体１００の場合と同様、基板２１に対して４本のパイプ１１１を千鳥格子状となるように配置している。これにより、前側の２本のパイプ１１１と後側の２本のパイプ１１１とは、図１２に示すように、Ｖ字状となる。前側の２本のパイプ１１１の上端部間は、補強片１０２と同様の補強片１１２により連結補強されている。また、前側の２本のパイプ１１１のうちの右側のパイプ１０１の外周面右端には、連結片２８の約２倍の長さの連結片１１４が溶接等により固定されている。同様に、後側の２本のパイプ１１１の上端部間は、補強片１１２により連結補強されている。また、後側の２本のパイプ１１１のうちの左側のパイプ１１１の外周面左端には、連結片２８の２倍の長さの接続片１１４が溶接等により固定されている。更に、後側の２本のパイプ１０１のうちの左側のパイプ１１１の外周面右端には、前記連結片１０４が溶接等により固定されている。
【００２６】
上記右本体１００及び左本体１１０は、実施の形態１と同様にして一体化され、右脚部３０及び左脚部４０とを組み付けて使用する。このように構成した実施の形態３に係るマルチ旗立て装置も、実施の形態１に係るマルチ旗立て装置と同様にして使用され、同様の作用及び効果を発揮する。また、パイプ１０２及び１１２が４本ずつ前後に離れて傾斜し、前後Ｖ字状となるような独特の意匠を呈する。更に、前後一対の連結片１０４及び１１４を介して右本体１００及び左本体１１０を強固に連結できる。
【００２７】
実施の形態４
図１３に示すように、実施の形態４に係るマルチ旗立て装置は、実施の形態３のマルチ旗立て装置がパイプ１０１，１１１を前後にＶ字状に配置するのに対し、実施の形態４に係るマルチ旗立て装置は、右本体１２０のパイプ１２１を前後に逆Ｖ字状（富士山状）となるよう配置する。なお、左本体は図示しないが、右本体１２０を対称にした構成である。その他の構成は実施の形態３と同様である。
【００２８】
このように構成した実施の形態４に係るマルチ旗立て装置も、実施の形態１に係るマルチ旗立て装置と同様にして使用され、同様の作用及び効果を発揮する。また、パイプ１２１が４本ずつ前後両端から近づくように傾斜し、前後逆Ｖ字状となるような独特の意匠を呈する。
【００２９】
なお、本発明に係るマルチ旗立て装置は、上記各実施の形態以外にも、パイプの長さを種々設定したり、パイプの傾斜態様を種々変更したり、パイプの配置態様を種々変更したり、その他の様々な変更を行うことができ、必要に応じて、様々なタイプの外観及び意匠を有するマルチ旗立て装置とすることができる。
【００３０】
【発明の効果】
本発明に係るマルチ旗立て装置は、上記のように構成したため、多数の旗竿を同時に支持して多数の旗を同時に掲揚できるという効果を発揮する。
【図面の簡単な説明】
【図１】図１は本発明の実施の形態１に係るマルチ旗立て装置の要部を組み立てた状態を示す斜視図である。
【図２】図２は本発明の実施の形態１に係るマルチ旗立て装置の要部を組み立てた状態を示す正面図である。
【図３】図３は本発明の実施の形態１に係るマルチ旗立て装置の要部を組み立てた状態を示す底面図である。
【図４】図４は本発明の実施の形態１に係るマルチ旗立て装置の分解斜視図である。
【図５】図５は本発明の実施の形態１に係るマルチ旗立て装置の右本体を示す正面図である。
【図６】図６は本発明の実施の形態１に係るマルチ旗立て装置の左本体を示す正面図である。
【図７】図７は本発明の実施の形態１に係るマルチ旗立て装置の左本体を示す平面図である。
【図８】図８は本発明の実施の形態１に係るマルチ旗立て装置の右本体を示す底面図である。
【図９】図９は本発明の実施の形態１に係るマルチ旗立て装置の左本体を示す底面図である。
【図１０】図１０は本発明の実施の形態２に係るマルチ旗立て装置の要部を組み立てた状態を示す正面図である。
【図１１】図１１は本発明の実施の形態３に係るマルチ旗立て装置の要部を組み立てた状態を示す正面図である。
【図１２】図１２は本発明の実施の形態３に係るマルチ旗立て装置の左本体を示す側面図である。
【図１３】図１３は本発明の実施の形態４に係るマルチ旗立て装置の右本体を示す側面図である。
【符号の説明】
１４，２４：パイプ（支持部）
１１，２１：基板（基部）
３４，４４：キャスター（滑動手段）
６５，７５：アンカーロッド（滑動停止手段、牽引固定手段）
【図１】
2004133221.tif 000003
【図２】
2004133221.tif 000004
【図３】
2004133221.tif 000005
【図４】
2004133221.tif 000006
【図５】
2004133221.tif 000007
【図６】
2004133221.tif 000008
【図７】
2004133221.tif 000009
【図８】
2004133221.tif 000010
【図９】
2004133221.tif 000011
【図１０】
2004133221.tif 000012
【図１１】
2004133221.tif 000013
【図１２】
2004133221.tif 000014
【図１３】
2004133221.tif 000015